(57)【要約】【課題】建物入口の水遮断装置において、操作レバーを軽快且つスムーズに回動操作可能として、防水板を迅速に防水ロック状態に置けるようにする。【解決手段】防水板Ｓのロック装置は、防水板に支持されてアンロック位置及びロック位置間を回動操作可能な操作レバーＬと、操作レバーの回動に連動して防水板に対し、側部防水ゴムＲｓを入口Ｅ両側の受け面１ｉｒに圧接させる前後方向押圧力及び底部防水ゴムＲｂを入口底面Ｅｂに圧接させる下方押圧力のうちの何れか一方の押圧力と何れか他方の押圧力を順次に発生させる連動機構Ｉとを備え、連動機構Ｉは、操作レバーがアンロック位置から中間回動位置まで回動操作される第１操作段階で操作レバーに連動して一方の押圧力を発生させる第１カム機構Ｃ１と、操作レバーが中間回動位置からロック位置まで回動操作される第２操作段階で操作レバーに連動して他方の押圧力を発生させる第２カム機構Ｃ２とを備える。【選択図】  図６
2018178392.tif 000002
【特許請求の範囲】
【請求項１】
建物の入口（Ｅ）の左右両側壁部（Ｅｓ）にそれぞれ設けられる左右の受け部（１，１′）と、その左右の受け部（１）に左右両側端部がそれぞれ支持されて前記入口（Ｅ）を閉じる防水板（Ｓ）と、この防水板（Ｓ）を前記受け部（１）にロックするロック装置（ＬＯ）と、前記防水板（Ｓ）の前後何れか一方の側面（Ｓｒ）の左右両側部にそれぞれ装着されて前記左右の受け部（１，１′）の、上下方向に延びる受け面（１ｉｒ，１ｔｆ′）に接触可能な側部防水ゴム（Ｒｓ）と、前記防水板（Ｓ）の底面に装着されて前記入口（Ｅ）の底面（Ｅｂ）に接触可能な底部防水ゴム（Ｒｂ）とを備える、建物の入口における水遮断装置において、
前記ロック装置（ＬＯ）は、前記防水板（Ｓ）に支持されて所定のアンロック位置（１Ｌ）及びロック位置（３Ｌ）間を回動操作可能な操作レバー（Ｌ）と、この操作レバー（Ｌ）の回動に連動して前記防水板（Ｓ）に対し、前記側部防水ゴム（Ｒｓ）を前記受け面（１ｉｒ，１ｔｆ′）に圧接させる前後方向押圧力、および前記底部防水ゴム（Ｒｂ）を前記入口（Ｅ）の底面（Ｅｂ）に圧接させる下方押圧力のうちの何れか一方の押圧力と何れか他方の押圧力を順次に発生させる連動機構（Ｉ）とを備え、
前記連動機構（Ｉ）は、前記操作レバー（Ｌ）が前記アンロック位置（１Ｌ）から所定の中間回動位置（２Ｌ）まで回動操作される第１操作段階で該操作レバー（Ｌ）に連動して前記一方の押圧力を発生させる第１カム機構（Ｃ１）と、前記操作レバー（Ｌ）が前記中間回動位置（２Ｌ）から前記ロック位置（３Ｌ）まで回動操作される第２操作段階で該操作レバー（Ｌ）に連動して前記他方の押圧力を発生させる第２カム機構（Ｃ２）とを前記防水板（Ｓ）及び前記受け部（１）間に備えており、
前記第１カム機構（Ｃ１）は、前記第２操作段階では、前記第１操作段階で発生させた前記一方の押圧力を維持することを特徴とする、建物の入口における水遮断装置。
【請求項２】
前記連動機構（Ｉ）は、前記防水板（Ｓ）に摺動可能に支持されていて、前記第１操作段階で前記操作レバー（Ｌ）に連動して後退位置（１Ｄ）から第１前進位置（２Ｄ）まで前進し且つ前記第２操作段階で前記操作レバー（Ｌ）に連動して前記第１前進位置（２Ｄ）から第２前進位置（３Ｄ）まで前進する駆動ピン（Ｄ）を備え、
前記第１カム機構（Ｃ１）は、前記駆動ピン（Ｄ）と、前記受け部（１）に設けられて該駆動ピン（Ｄ）が接離可能な第１カム面（ｆ１）とを有していて、前記第１操作段階で該駆動ピン（Ｄ）の前進力を前記一方の押圧力に変換すると共に前記第２操作段階での該駆動ピン（Ｄ）の前進中は前記一方の押圧力を維持し、
前記第２カム機構（Ｃ２）は、前記駆動ピン（Ｄ）と、前記受け部（１）に設けられて該駆動ピン（Ｄ）が接離可能な第２カム面（ｆ２）とを有していて、前記第２操作段階で該駆動ピン（Ｄ）の前進力を前記他方の押圧力に変換することを特徴とする、請求項１に記載の建物の入口における水遮断装置。
【請求項３】
前記操作レバー（Ｌ）を少なくとも含むトグル機構（Ｔ）を備えており、
前記トグル機構（Ｔ）は、前記操作レバー（Ｌ）を前記アンロック位置（１Ｌ）から前記ロック位置（３Ｌ）まで回動操作するときに、前記駆動ピン（Ｄ）に作用する前進反力が、該操作レバー（Ｌ）の前記ロック位置（３Ｌ）への到達直前で該操作レバー（Ｌ）に対する操作抵抗力から操作補助力に切り替わるように構成されることを特徴とする、請求項１又は２に記載の建物の入口における水遮断装置。
【請求項４】
前記操作レバー（Ｌ）の基端部と前記駆動ピン（Ｄ）とが相対回動可能にピボット連結され、前記操作レバー（Ｌ）の中間部に相対回動可能に一端部をピボット連結したリンク部材（１１）の他端部が前記防水板（Ｓ）に相対回動可能にピボット連結され、
前記操作レバー（Ｌ）及び前記駆動ピン（Ｄ）間のピボット連結部（Ｐ１）と前記リンク部材（１１）及び前記防水板（Ｓ）間のピボット連結部（Ｐ３）とを通る仮想直線（Ｚ）を、前記操作レバー（Ｌ）及び前記リンク部材（１１）間のピボット連結部（Ｐ２）が、前記操作レバー（Ｌ）を前記アンロック位置（１Ｌ）から前記ロック位置（３Ｌ）まで回動操作するときに該操作レバー（Ｌ）の前記ロック位置（３Ｌ）への到達直前で横切るように、各々の前記ピボット連結部（Ｐ１〜Ｐ３）の位置が設定されることを特徴とする、請求項１〜３の何れか１項に記載の建物の入口における水遮断装置。
【発明の詳細な説明】
【技術分野】
【０００１】
本発明は、建物の入口（例えばビル、マンション等の入口や、地下通路出入り用建物の入口等）からの、豪雨や洪水等による水侵入を随時に防止可能な水遮断装置に関する。
【背景技術】
【０００２】
上記水遮断装置として、例えば、建物の入口の左右両側壁部にそれぞれ設けられて上下方向に各々延びる溝状の受け部と、その受け部に左右両側端部が挿入、支持されて入口を閉じる防水板と、この防水板を受け部にロックするロック装置と、防水板の前後何れか一方の側面の左右両側部にそれぞれ装着されて左右の受け部の、上下方向に延びる受け面に接触可能な側部防水ゴムと、防水板の底面に装着されて入口の底面に接触可能な底部防水ゴムとを備えたものは、例えば下記特許文献１に開示されるように既に知られている。
【先行技術文献】
【特許文献】
【０００３】
【特許文献１】特許第３４５８０７７号公報
【発明の概要】
【発明が解決しようとする課題】
【０００４】
特許文献１に開示のロック装置は、垂直位置（即ちアンロック位置）及び水平位置（即ちロック位置）間を回動操作可能な操作レバーと、この操作レバーの垂直位置から水平位置までの一発回動操作により、側部防水ゴムを受け部内面に圧接させる前後方向押圧力と、底部防水ゴムを入口底面に圧接させる下方押圧力とを防水板に対して同時に付与するようにしている。即ち、この従来装置では、操作レバーの基端部（ローラ）を建物側の被係合面に直接係合させることで、操作レバーの９０度、一発回動操作で防水板に対する前後方向押圧力と下方押圧力とを同時発生させるため、その回動操作時に操作者は、防水板の前後操作抵抗と押下げ操作抵抗とを同時に受け、全体として操作レバーに大きな操作力を入力操作する必要があって、多大の労力を要し、作業効率が悪い等の問題がある。
【０００５】
本発明は、上記事情に鑑みてなされたもので、従来装置の上記問題を解決することができる、建物の入口における水遮断装置を提供することを目的とする。
【課題を解決するための手段】
【０００６】
上記目的を達成するために、本発明は、建物の入口の左右両側壁部にそれぞれ設けられる左右の受け部と、その左右の受け部に左右両側端部がそれぞれ支持されて前記入口を閉じる防水板と、この防水板を前記受け部にロックするロック装置と、前記防水板の前後何れか一方の側面の左右両側端部にそれぞれ装着されて前記左右の受け部の、上下方向に延びる受け面に接触可能な側部防水ゴムと、前記防水板の底面に装着されて前記入口の底面に接触可能な底部防水ゴムとを備えた建物の入口における水遮断装置において、前記ロック装置は、前記防水板に支持されて所定のアンロック位置及びロック位置間を回動操作可能な操作レバーと、この操作レバーの回動に連動して前記防水板に対し、前記側部防水ゴムを前記受け面に圧接させる前後方向押圧力、および前記底部防水ゴムを前記入口の底面に圧接させる下方押圧力のうちの何れか一方の押圧力と何れか他方の押圧力を順次に発生させる連動機構とを備え、前記連動機構は、前記操作レバーが前記アンロック位置から所定の中間回動位置まで回動操作される第１操作段階で該操作レバーに連動して前記一方の押圧力を発生させる第１カム機構と、前記操作レバーが前記中間回動位置から前記ロック位置まで回動操作される第２操作段階で該操作レバーに連動して前記他方の押圧力を発生させる第２カム機構とを前記防水板及び前記受け部間に備えており、前記第１カム機構は、前記第２操作段階では、前記第１操作段階で発生させた前記一方の押圧力を維持することを第１の特徴とする。
【０００７】
また本発明は、第１の特徴に加えて、前記連動機構は、前記防水板に摺動可能に支持されていて、前記第１操作段階で前記操作レバーに連動して後退位置から第１前進位置まで前進し且つ前記第２操作段階で前記操作レバーに連動して前記第１前進位置から第２前進位置まで前進する駆動ピンを備え、前記第１カム機構は、前記駆動ピンと、前記受け部に設けられて該駆動ピンが接離可能な第１カム面とを有していて、前記第１操作段階で該駆動ピンの前進力を前記一方の押圧力に変換すると共に前記第２操作段階での該駆動ピンの前進中は前記一方の押圧力を維持し、前記第２カム機構は、前記駆動ピンと、前記受け部に設けられて該駆動ピンが接離可能な第２カム面とを有していて、前記第２操作段階で該駆動ピンの前進力を前記他方の押圧力に変換することを第２の特徴とする。
【０００８】
また本発明は、第１又は第２の特徴に加えて、前記操作レバーを少なくとも含むトグル機構を備えており、前記トグル機構は、前記操作レバーを前記アンロック位置から前記ロック位置まで回動操作するときに、前記駆動ピンに作用する前進反力が、該操作レバーの前記ロック位置への到達直前で該操作レバーに対する操作抵抗力から操作補助力に切り替わるように構成されることを第３の特徴とする。
【０００９】
また本発明は、第１〜第３の何れかの特徴に加えて、前記操作レバーの基端部と前記駆動ピンとが相対回動可能にピボット連結され、前記操作レバーの中間部に相対回動可能に一端部をピボット連結したリンク部材の他端部が前記防水板に相対回動可能にピボット連結され、前記操作レバー及び前記駆動ピン間のピボット連結部と前記リンク部材及び前記防水板間のピボット連結部とを通る仮想直線を、前記操作レバー及び前記リンク部材間のピボット連結部が、前記操作レバーを前記アンロック位置から前記ロック位置まで回動操作するときに該操作レバーの前記ロック位置への到達直前で横切るように、各々の前記ピボット連結部の位置が設定されることを第４の特徴とする。
【００１０】
尚、本発明及び本明細書において、「防水板の前」とは、防水板の、建物入口から見て外部側をいい、また「防水板の後」とは、防水板の、建物入口から見て内部側をいう。
【発明の効果】
【００１１】
本発明の第１の特徴によれば、操作レバーがアンロック位置から中間回動位置まで回動操作される第１操作段階で、操作レバーに連動して防水板に対し一方の押圧力を発生させることができ、次いで、操作レバーが中間回動位置からロック位置まで回動操作される第２操作段階で、操作レバーに連動して防水板に対し他方の押圧力を発生させることができる。これにより、従来装置のように防水板に対し前後方向押圧力と下方押圧力とを同時に発生させるものと比べて、操作レバーの回動操作時に操作者が受ける操作抵抗が効果的に軽減され、その結果、操作レバーを軽快且つスムーズに回動操作することができ、防水板を迅速に防水・ロック状態に置くことができる。
【００１２】
また第２の特徴によれば、共通１個の駆動ピンと、第１，第２カム面とが順次に協働する構造簡単な連動構造で、前記した一方・他方の各押圧力の順次発生メカニズムが容易に且つ低コストで得られる。しかも操作レバーのロック位置に向かう回動に連動して、駆動ピンの先部を第１，第２カム面に対し恰も楔状に滑り込ませるように押込固定可能となるから、駆動ピンをガタなく受け枠側に固定でき、従って、ロック位置の操作レバーや防水板に外力が不用意に作用しても、操作レバーや防水板をガタなく的確にロック状態に保持可能となる。
【００１３】
また第３の特徴によれば、操作レバーを少なくとも含むトグル機構が、操作レバーをアンロック位置からロック位置まで回動操作するときに、駆動ピンに作用する前進反力が、操作レバーのロック位置への到達直前で操作レバーに対する操作抵抗力から操作補助力に切り替わるように構成される。これにより、操作レバーのロック位置への到達直前で駆動ピンの前進反力が最大となっても、トグル機構の倍力作用によって、操作レバーで駆動ピンを軽快に押し込み操作することが可能となる。しかも、操作レバーがロック位置に到達した状態では、駆動ピンの前進反力が操作レバーをロック位置側に付勢するよう作用するため、防水板をより確実にロック状態に保持可能となる。
【００１４】
また第４の特徴によれば、駆動ピン及び操作レバーを、トグル機構のスライダ及び一方のリンクにそれぞれ利用して、トグル機構を頗る簡単に構成できるから、更なるコスト節減が図られ、組立作業性やメンテナンス作業性も良好である。
【図面の簡単な説明】
【００１５】
【図１】本発明の第１実施形態に係る水遮断装置を適用した建物入口において防水板を水遮断位置にセットした状態を示す正面図（図２の１−１線断面図）
【図２】前記状態を示す平面図（図１の２矢視図）
【図３】図１の３矢視部拡大断面図
【図４】図３の４−４線断面図
【図５】図３の５−５線断面図
【図６】第１実施形態のロック装置を正面斜め下方より見た斜視図（図３の６矢視斜視図）
【図７】前記ロック装置の要部（カム機構）の斜視図（図６の７矢視斜視図）
【図８】前記ロック装置における操作レバー及びカム機構の連動関係を概略的に示す動作説明図
【図９】本発明の第２実施形態に係る水遮断装置を適用した建物入口において防水板を水遮断位置にセットした状態を示す要部断面図（図４対応図）
【図１０】第２実施形態に係る水遮断装置の要部断面図（図９の１０−１０線断面図、即ち図５対応図）
【発明を実施するための形態】
【００１６】
先ず、図１〜図８を参照して、本発明の水遮断装置の第１実施形態を説明する。
【００１７】
図１及び図２において、建物（例えばビル）の入口Ｅの左右両側壁部Ｅｓには、上下方向に各々延び且つ互いに対向する左右一対の溝状の受け枠１が、開放面を入口Ｅ中央側に露出、指向させるようにして埋設される。受け枠１は、本発明の受け部の一例であり、本実施形態では横断面コ字状の金属枠で構成されるが、他の材料で構成してもよい。或いは、溝状の受け部を入口Ｅの左右両側壁部Ｅｓに直接形成してもよい。
【００１８】
受け枠１には、次に説明する防水板Ｓの左右両側端部が上方より抜差可能に挿入されることで、入口Ｅに防水板Ｓがセット可能となる。即ち、図１及び図２に示す防水板Ｓの入口Ｅへのセット状態では、入口Ｅの左右幅一杯に延びる矩形の防水板Ｓで入口Ｅが塞がれていて、入口Ｅから建物内への水の侵入を防止できるようになっている。
【００１９】
しかし防水板Ｓは、平時には通行の妨げとならないよう入口Ｅより撤去されていて、図示しない格納場所に格納される。そして、例えば豪雨や洪水等の緊急事態の発生時にだけ格納場所より取り出されて入口Ｅにセットされる。尚、受け枠１の、入口Ｅ側に臨む内面１ｉは、平時にはカバー等で体裁よく被覆してもよい。
【００２０】
本実施形態の水遮断装置Ａは、上記した防水板Ｓ及び受け枠１と、防水板Ｓを受け枠１にロックするためのロック装置ＬＯと、防水板Ｓの前後何れか一方の側面（本実施形態では後側面Ｓｒ）の左右両側縁部にそれぞれ装着されて上下方向に長く延びる左右一対の側部防水ゴムＲｓと、防水板Ｓの底面に装着されて左右方向に長く延びる底部防水ゴムＲｂとを備える。
【００２１】
ロック装置ＬＯは、例えば、防水板Ｓの左・右両側部と、それらに対応する左右の受け枠１との各間において上下２組ずつ配設されており、各ロック装置ＬＯの構造は、基本的に同一である。尚、ロック装置ＬＯは、防水板Ｓの左・右両側部と受け枠１との各間において、１組ずつ配設してもよく、或いは３組以上配設してもよい。
【００２２】
次に図３〜図８も併せて参照して、ロック装置ＬＯの具体例の構造を説明する。
【００２３】
ロック装置ＬＯは、例えば、防水板Ｓに間接的に（即ち後述する第１支持ブラケットＢ１及び摺動ピンＤを介して）軸支されていて所定のアンロック位置１Ｌ及びロック位置３Ｌ間を回動操作可能な操作レバーＬと、この操作レバーＬの回動に連動して防水板Ｓに対し、底部防水ゴムＲｂを入口Ｅの底面Ｅｂに圧接させる下方押圧力と、側部防水ゴムＲｓを受け枠１の、上下方向に延びる受け面１ｉｒ（本実施形態では内面１ｉのうちの後側の内側面、即ち入口Ｅから見て内部側の側面）に圧接させる前後方向押圧力（本実施形態では後方向押圧力）をこの順序で順次に発生させる連動機構Ｉと、連動機構Ｉの一部及び操作レバーＬを防水板Ｓに取付、支持するための第１支持ブラケットＢ１と、連動機構Ｉの残部（例えば後述する第１，第２カム面ｆ１，ｆ２）を受け枠１に取付、支持するための第２支持ブラケットＢ２とを備えている。
【００２４】
第１支持ブラケットＢ１は、本実施形態では防水板Ｓの前側面Ｓｆ（即ち入口Ｅから見て外部側の側面）に着脱可能に固定されるものであり、例えば、防水板Ｓの前側面Ｓｆに複数のボルトｂ１で結合された平板状の第１取付板２１と、第１取付板２１上に一体に突設された支持ブロック２２とを備える。支持ブロック２２は、例えば、第１取付板２１上に一体に起立する基部２１ｂと、基部２１ｂの、受け枠１から遠い側の側面に一体に連設される先部２１ａとを有する。
【００２５】
また第２支持ブラケットＢ２は、本実施形態では受け枠１に着脱可能に固定されるものであり、例えば、受け枠１の奥側の内面１ｉに複数のボルトｂ２で結合された屈曲板状の第２取付板３１と、第２取付板３１の下端に一体に形成された水平な受板部３１ａの下面に重合するシム板３３と、シム板３３を挟んで受板部３１ａ下面に重合し且つ複数のボルトｂ３で結合されるカムブロック３２とを備える。
【００２６】
シム板３３は、厚みの異なる複数種類のものが予め用意されており、これを選択的に使用することで、カムブロック３２（従って後述する第１，第２カム面ｆ１，ｆ２）の高さ調整を容易に行うことができる。
【００２７】
連動機構Ｉは、操作レバーＬがアンロック位置１Ｌから所定の中間回動位置２Ｌまで回動操作される第１操作段階で操作レバーＬに連動して防水板Ｓに対し、底部防水ゴムＲｂを入口Ｅの底面Ｅｂに圧接させる下方押圧力を発生させる第１カム機構Ｃ１と、操作レバーＬが中間回動位置２Ｌからロック位置３Ｌまで回動操作される第２操作段階で操作レバーＬに連動して防水板Ｓに対し、側部防水ゴムＲｓを受け枠１の受け面１ｉｒに圧接させる前後方向押圧力を発生させる第２カム機構Ｃ２とを備える。また第１カム機構Ｃ１は、第２操作段階では、第１操作段階で発生させた下方押圧力を維持する。
【００２８】
また連動機構Ｉは、防水板Ｓ（より具体的には第１支持ブラケットＢ１の支持ブロック２２の基部２２ｂ）に摺動可能に支持される駆動ピンＤを備える。この駆動ピンＤは、上記第１操作段階で操作レバーＬに連動して後退位置１Ｄから第１前進位置２Ｄまで前進し且つ上記第２操作段階で操作レバーＬに連動して第１前進位置２Ｄから第２前進位置３Ｄまで前進する。駆動ピンＤの進退方向は、本実施形態では入口Ｅ（従って防水板Ｓ）の左右方向に設定される。
【００２９】
また駆動ピンＤの先端部Ｄｆ即ち前進方向の端部は、先細り形状（本実施形態では円錐状）に形成されており、その先端部Ｄｆが駆動ピンＤの前進に従い、後述する第１，第２カム面ｆ１，ｆ２の斜面ｆ１ａ，ｆ２ａに順次に摺接する。
【００３０】
第１カム機構Ｃ１は、駆動ピンＤと、受け枠１に第２支持ブラケットを介して設けられて駆動ピンＤが接離可能な第１カム面ｆ１とを有している。そして、駆動ピンＤ及び第１カム面ｆ１相互の協働により、操作レバーＬの第１操作段階で駆動ピンＤの前進力を下方押圧力に変換すると共に第２操作段階での駆動ピンＤの前進中は下方押圧力を維持する機能を発揮する。
【００３１】
一方、第２カム機構Ｃ２は、駆動ピンＤと、受け枠１に第２支持ブラケットを介して設けられて駆動ピンＤが接離可能な第２カム面ｆ２とを有している。そして、駆動ピンＤ及び第２カム面ｆ２相互の協働により、操作レバーＬの第２操作段階で駆動ピンＤの前進力を前後方向押圧力に変換する機能を発揮する。
【００３２】
第１，第２カム面ｆ１，ｆ２は、駆動ピンＤの前進に伴いピン先端部Ｄｆが先に第１カム面ｆ１の斜面ｆ１ａに摺接し且つ最終的には斜面ｆ１ａに続く平坦面ｆ１ｂに乗り上げ、次いでその乗り上げと略同時に、ピン先端部Ｄｆが第２カム面ｆ２の斜面ｆ２ａに摺接し且つ最終的には斜面ｆ２ａに続く平坦面ｆ２ｂに乗り上げるように、第２支持ブラケットＢ２のカムブロック３２に形成される。
【００３３】
本実施形態では、第１カム面ｆ１は下向きに形成され、また第２カム面ｆ２は入口Ｅの後方側を向くように形成される。また第１カム面ｆ１の斜面ｆ１ａの終端位置と、第２カム面ｆ２の斜面ｆ２ａの始端位置とは、摺動ピンＤの前後方向（即ち防水板Ｓの左右方向）で略同一位置（即ち同一位置、又は摺動ピンＤの前後方向で僅かにずれた位置）に設定される。
【００３４】
ところで本実施形態では、操作レバーＬがアンロック位置１Ｌからロック位置３Ｌに向けて回動操作する過程において、特にロック位置３Ｌに接近したときに操作力を軽減すると共に、ロック位置３Ｌでの操作レバーＬの保持をより確実にするために、一対のリンク及びスライダを組み合わせたトグル機構Ｔが採用される。
【００３５】
即ち、本実施形態のトグル機構Ｔは、スライダとして機能する駆動ピンＤと、駆動ピンＤの後部Ｄｒに第１枢軸Ｐ１を介して基部が相対回動可能にピボット連結されるベルクランク状の操作レバーＬと、操作レバーＬの基端寄りの中間部に第２枢軸Ｐ２を介して一端部が相対回動可能にピボット連結されるリンク部材１１とを備える。そして、リンク部材１１の他端部は、防水板Ｓ（より具体的には第１支持ブラケットＢ１の支持ブロック２２の先部２２ａ）に第３枢軸Ｐ３を介して相対回動可能にピボット連結される。この場合、操作レバーＬ及びリンク部材１１は、トグル機構Ｔの第１，第２リンクとしてそれぞれ機能する。
【００３６】
また、操作レバーＬの回動軸線と直交する投影面（例えば図３，図８）で見て、操作レバーＬ及び駆動ピンＤ間のピボット連結部（即ち第１枢軸Ｐ１）と、リンク部材１１及び防水板Ｓ間のピボット連結部（即ち第３枢軸Ｐ３）とを通る仮想直線Ｚ（従ってその仮想直線Ｚ上に存するデッドポイント）を、操作レバーＬ及びリンク部材１１間のピボット連結部（即ち第２枢軸Ｐ２）が、操作レバーＬをアンロック位置１Ｌからロック位置３Ｌまで回動操作するときに操作レバーＬのロック位置３Ｌへの到達直前で横切るように、各ピボット連結部（即ち第１〜第３枢軸Ｐ１〜Ｐ３）の相互位置が設定される。
【００３７】
このような設定によれば、トグル機構Ｔは、後述するように、操作レバーＬをアンロック位置１Ｌからロック位置３Ｌまで回動操作するときに、駆動ピンＤに作用する前進反力が、操作レバーＬのロック位置３Ｌへの到達直前で操作レバーＬに対する操作抵抗力から操作補助力に切り替わるように動作する。
【００３８】
次に第１実施形態の作用を説明する。建物の入口Ｅは、平時には通行の妨げとならないよう、防水板Ｓが撤去された状態に置かれる。
【００３９】
例えば、集中豪雨や洪水等で外の大量の水が入口Ｅから建物内に侵入する虞れが生じた場合には、防水板Ｓを、図示しない格納場所より取出し、入口Ｅに図１，２に示すように設置、固定することで、入口Ｅの下部領域を防水板Ｓで遮断する。
【００４０】
その設置に際しては、入口Ｅの両側壁部Ｅｓに固定の溝状受け枠１内に防水板Ｓの左右両側縁部を上方より挿入することで、防水板Ｓを入口Ｅの底面Ｅｂ上に載置させ、次いで各ロック装置ＬＯの操作レバーＬをアンロック位置１Ｌからロック位置３Ｌまで回動操作することで、防水板Ｓの左右両側部を受け枠１に固定する。
【００４１】
操作レバーＬの前述の回動操作過程において、操作レバーＬがアンロック位置１Ｌから中間回動位置２Ｌまで回動操作される第１操作段階（図８（Ａ）〜（Ｃ）参照）では、その操作レバーＬに連動して駆動ピンＤが後退位置１Ｄから第１前進位置２Ｄまで前進し、次いで操作レバーＬが中間回動位置２Ｌからロック位置３Ｌまで回動操作される第２操作段階（図８（Ｃ）〜（Ｄ）参照）では、操作レバーＬに連動して駆動ピンＤが第１前進位置２Ｄから第２前進位置３Ｄまで前進する。
【００４２】
そして、駆動ピンＤの斯かる前進動作により、ピン先端部Ｄｆが第１，第２カム面ｆ１，ｆ２の斜面ｆ１ａ，ｆ２ａに順次に摺接する。この順次の動きをより具体的に説明すると、操作レバーＬの第１操作段階では、駆動ピンＤの前進に伴い、ピン先端部Ｄｆが先ず、第１カム面ｆ１の斜面ｆ１ａに接触して、斜面ｆ１ａを昇るように摺接し、最終的には斜面ｆ１ａに続く平坦面ｆ１ｂに乗り上げ、その乗り上げと略同時にピン先端部Ｄｆが第２カム面ｆ２の斜面ｆ２ａに接触し、この接触の開始と同時に第２操作段階が始まる。
【００４３】
そして、第２操作段階では、駆動ピンＤの前進に伴い、ピン先端部Ｄｆが第２カム面ｆ２の斜面ｆ２ａを昇るように摺接し、第２操作段階の終了直前（即ち操作レバーＬのロック位置３Ｌへの到達直前）でピン先端部Ｄｆが、第２カム面ｆ２の斜面ｆ２ａに続く平坦面ｆ２ｂに乗り上げる。
【００４４】
かくして、操作レバーＬの第１操作段階では、第１カム機構Ｃ１が駆動ピンＤの前進力を防水板Ｓに対する下方押圧力に変換するため、その下方押圧力により、防水板Ｓの底部防水ゴムＲｂを入口底面Ｅｂに圧接させることで、防水板Ｓ及び入口底面Ｅｂ間が水密にシールされる。
【００４５】
次いで、操作レバーＬの第２操作段階では、第２カム機構Ｃ２が駆動ピンＤの前進力を防水板Ｓに対する前後方向押圧力（実施形態では後方向押圧力）に変換するため、その前後方向押圧力により、側部防水ゴムＲｓを受け枠１の受け面１ｉｒ（実施形態では後側の内側面、即ち入口Ｅから見て内部側の内側面）に圧接させることで、防水板Ｓ及び受け枠１の内面１ｉ間が水密にシールされる。そして、この第２操作段階では、駆動ピンＤが、第１カム面ｆ１の斜面ｆ１ａに続く平坦面ｆ１ｂに乗り上げたまま平坦面ｆ１上を摺動するため、第１カム機構Ｃ１は、第１操作段階で発生させた下方押圧力をそのまま維持することができる。
【００４６】
以上説明したように、本実施形態の水遮断装置Ａは、操作レバーＬの回動操作に連動して防水板Ｓに対し下方押圧力及び後方向押圧力を発生させる連動機構Ｉが、操作レバーＬがアンロック位置１Ｌから中間回動位置２Ｌまで回動操作される第１操作段階（図８（Ａ）〜（Ｃ）参照）で防水板Ｓに対し下方押圧力を発生させ、次いで操作レバーＬが中間回動位置２Ｌからロック位置３Ｌまで回動操作される第２操作段階（図８（Ｃ）〜（Ｄ）参照）で防水板Ｓに対し後方向押圧力を発生させる。
【００４７】
これにより、従来装置のように操作レバーＬの一発回動で防水板Ｓに対し下方押圧力と前後方向押圧力とを同時に発生させるものと比べて、操作レバーＬの回動操作時に操作者が受ける操作抵抗は効果的に軽減されるため、操作レバーＬを軽快に回動操作することができる。従って、操作レバーＬをロック位置３Ｌまで軽快に回動操作して防水板Ｓを迅速に防水・ロック状態に保持することができる。
【００４８】
また本実施形態の連動機構Ｉは、防水板Ｓ（より具体的には第１支持ブラケットＢ１の基部２２ｂ）に防水板Ｓの左右方向で摺動可能に嵌合、支持される駆動ピンＤを備えていて、この駆動ピンＤが、操作レバーＬに連動して第１操作段階で後退位置１Ｄから第１前進位置２Ｄまで前進し且つ第２操作段階で第１前進位置２Ｄから第２前進位置３Ｄまで前進する。そして、この駆動ピンＤの先端部Ｄｆを受け枠１（より具体的には第２支持ブラケットＢ２のカムブロック３２）側の第１，第２カム面ｆ１，ｆ２に押込前進させ、その前進位置に応じて２段階のカム作用を順次に発揮させることができる。
【００４９】
これにより、駆動ピンＤと、第１，第２カム面ｆ１，ｆ２とが協働する構造簡単な連動構造で、前記した下方押圧力・後方向押圧力の順次発生メカニズムが容易に且つ低コストで得られる。しかも、操作レバーＬのロック位置３Ｌに向かう回動に連動して、駆動ピンＤの先端部Ｄｆを第１，第２カム面ｆ１，ｆ２に対し恰も楔状に滑り込ませるように押込固定できるため、駆動ピンＤをガタなく受け枠１側に固定可能となる。従って、ロック位置３Ｌの操作レバーＬや防水板Ｓに外力が不用意に作用しても、操作レバーＬや防水板Ｓをガタなく的確にロック状態に保持可能となる。
【００５０】
また特に本実施形態では、操作レバーＬ及び駆動ピンＤを含むトグル機構Ｔを利用して、操作レバーＬの回動操作性を高めている。即ち、操作レバーＬの基部と駆動ピンＤとが相対回動可能にピボット連結され、操作レバーＬの中間部に相対回動可能に一端部をピボット連結したリンク部材１１の他端部が防水板Ｓに相対回動可能にピボット連結され、しかも操作レバーＬ及び駆動ピンＤ間のピボット連結部（即ち第１枢軸Ｐ１）と、リンク部材１１及び防水板Ｓ間のピボット連結部（即ち第３枢軸Ｐ３）とを通る仮想直線Ｚ（従ってその仮想直線Ｚ上に存するデッドポイント）を、操作レバーＬ及びリンク部材１１間のピボット連結部（即ち第２枢軸Ｐ２）が、操作レバーＬをアンロック位置１Ｌからロック位置３Ｌまで回動操作するときに操作レバーＬのロック位置３Ｌへの到達直前で横切るように、各ピボット連結部（即ち第１〜第３枢軸Ｐ１〜Ｐ３）の位置が設定されている。
【００５１】
この設定によれば、操作レバーＬをアンロック位置１Ｌからロック位置３Ｌまで回動操作するときに、駆動ピンＤに作用する前進反力が、操作レバーＬのロック位置３Ｌへの到達直前で操作レバーＬに対する操作抵抗力から操作補助力に切り替わるため、操作レバーＬのロック位置３Ｌへの到達直前で駆動ピンＤの前進反力が最大となっても、トグル機構Ｔの倍力作用によって、操作レバーＬをロック位置３Ｌまで軽快に押し込み操作可能となる。しかも、操作レバーＬがロック位置３Ｌ（図８（Ｄ）参照）に到達した状態では、駆動ピンＤの前進反力が操作レバーＬをロック位置３Ｌ側（即ち操作レバーＬのアンロック位置１Ｌへの戻りに抵抗する側）に付勢するよう作用するため、操作レバーＬ及び防水板Ｓをより確実にロック状態に保持可能となる。
【００５２】
その上、駆動ピンＤ及び操作レバーＬが、トグル機構Ｔのスライダ及び一方のリンクに利用されていて、トグル機構Ｔを簡単に構成できるから、更なるコスト節減が図られ、組立作業性やメンテナンス作業性も良好である。
【００５３】
次に図９，図１０を参照して、本発明の第２実施形態を説明する。第１実施形態では、受け部としての受け枠１が溝状に形成（即ち入口Ｅの左右両側壁部Ｅｓに凹設）されていて、その受け枠１内に防水板Ｓの左右両側端部が上方より抜差可能に挿入され、操作レバーのロック操作時に側部防水ゴムＲｓを受け枠１の受け面１ｉｒ（後側の内側面）に圧接させるようにしたものを示した。
【００５４】
これに対して、第２実施形態では、受け部としての受け枠１′が、入口Ｅの左右両側壁部Ｅｓに埋設固定される基板部１ｂ′と、基板部１ｂ′中央より入口Ｅ側に張り出す突板部１ｔ′とを有して横断面Ｔ字状に且つ上下方向に延びるように形成される。そして、突板部１ｔ′の、入口Ｅから見て外部側の側面が、防水板Ｓ（本実施形態では後側面Ｓｒ）の左右両側端部を対面させる受け面１ｔｆ′となり、この受け面１ｔｆ′に、操作レバーＬのロック操作時に防水板Ｓの後側面Ｓｒの側部防水ゴムＲｓを圧接させる。
【００５５】
即ち、この第２実施形態の水遮断装置Ａも、第１実施形態と同様、防水板Ｓ及び受け枠１′と、防水板Ｓを受け枠１′にロックするためのロック装置ＬＯと、防水板Ｓの前後何れか一方の側面（本実施形態では後側面Ｓｒ）の左右両側端部にそれぞれ装着されて上下方向に長く延びる左右一対の側部防水ゴムＲｓと、防水板Ｓの底面に装着されて左右方向に長く延びる底部防水ゴムＲｂとを備えるものである。
【００５６】
そして、操作レバーＬの回動操作に連動して防水板Ｓに下方押圧力及び前後方向押圧力（後方押圧力）を発生させる連動機構Ｉ（第１，第２カム機構Ｃ１，Ｃ２）は、第１実施形態の連動機構Ｉ（第１，第２カム機構Ｃ１，Ｃ２）と同様の構造である。但し、第２実施形態では、第１支持ブラケットＢ１が、防水板Ｓの後側面Ｓｒに側部防水ゴムＲｓとは隣接した位置で結合され、一方、第２支持ブラケットＢ２が、受け枠１′における突板部１ｔ′の、入口Ｅから見て内部側の側面と基板部１ｂ′とに跨がって結合される。
【００５７】
第２実施形態の連動機構Ｉ（第１，第２カム機構Ｃ１，Ｃ２）の各構成要素には、第１実施形態の対応する構成要素と同じ参照符号を付すにとどめ、これ以上の構造説明は省略する。そして、第２実施形態によっても、第１実施形態と基本的に同様の作用効果を達成可能である。
【００５８】
尚、受け枠１′は、本発明の受け部の一例であり、本実施形態では横断面Ｔ字状の金属枠で構成されるが、他の材料で構成してもよいし、別の横断面形状（例えば一部が入口Ｅ側に張り出すＬ字状）に形成されてもよい。
【００５９】
以上、本発明の実施形態について説明したが、本発明は、前記実施形態に限定されるものではなく、その要旨を逸脱しない範囲で種々の設計変更が可能である。
【００６０】
例えば、前記実施形態では、操作レバーＬをアンロック位置１Ｌから中間回動位置２Ｌを経てロック位置３Ｌまで略１８０度回動操作させるものを示したが、操作レバーＬの最大回動角は、実施形態に限定されず、例えば１８０度以下の任意の適宜角度にも設定可能である。
【００６１】
また前記実施形態では、連動機構Ｉが、操作レバーＬのアンロック位置１Ｌからロック位置３Ｌへの回動操作に連動して防水板Ｓに対し、底部防水ゴムＲｂを入口Ｅの底面Ｅｂに圧接させる下方押圧力と、側部防水ゴムＲｓを受け枠１，１′の受け面１ｉｒ，１ｉｆ′に圧接させる前後方向押圧力とをこの順序で順次に発生させるものを示したが、本発明では、この発生順序を逆にしたもの（即ち前後方向押圧力の発生後、下方押圧力を発生させるもの）にも実施可能であり、この場合は、第１，第２カム面ｆ１、ｆ２の、摺動ピンＤ前進方向に対する配置を前後逆に設定すればよい。
【００６２】
また前記実施形態では、操作レバーＬがトグル機構Ｔの一部に組み込まれる関係で、防水板Ｓの支持ブラケットＢに摺動可能に支持した駆動ピンＤ（即ちトグル機構Ｔのスライダ）に操作レバーＬを回動可能にピボット連結したもの、即ち、操作レバーＬが防水板Ｓに間接的（即ち第１支持ブラケットＢ１及び摺動ピンＤを介して）回動可能に軸支されるもの）を例示したが、本発明の第１，第２の特徴においてトグル機構Ｔは必須要素ではない。そして、操作レバーＬをトグル機構の一部としない実施例の場合には、例えば操作レバーを、防水板Ｓ又はそれの固定物に直接、回動可能にピボット連結してもよい。
【００６３】
また前記実施形態では、防水板Ｓ底部の底部防水ゴムＲｂを圧接させる入口Ｅの底面Ｅｂに受け枠を設けていないものを示したが、入口Ｅの底面Ｅｂにも、入口Ｅの左右側壁部Ｅｓと同様、受け枠を設置可能である。この場合は、例えば、入口Ｅの底壁部に下部受け枠を埋設して、下部受け枠の露出した外面（上面）に底部防水ゴムＲｂを圧接させる。
【００６４】
また前記実施形態では、把手のない防水板Ｓを例示したが、防水板Ｓには、必要に応じて持ち運びに便利な把手を付設してもよい。
【００６５】
また前記実施形態では、防水板Ｓを分割不能な一体物としたものを例示したが、防水板Ｓを複数の防水板要素より分割構成して、それら防水板要素の相互間を着脱可能に又は着脱不能に結合して防水板Ｓを構成してもよい。
【００６６】
また第１実施形態では、ロック装置ＬＯの、防水板Ｓ側の第１支持ブラケットＢ１（従って操作レバーＬ）を防水板Ｓの前側面Ｓｆに設置して、操作レバーＬのロック操作時には、防水板Ｓの後側面Ｓｒに固定の側部防水ゴムＲｓを受け枠１の受け面１ｉｒ（即ち後側の内側面）に圧接させる前後方向押圧力（即ち後方向押圧力）を発生させるようにした実施例を示した。この第１実施形態の変形例として、例えば、第１支持ブラケットＢ１（従って操作レバーＬ）を防水板Ｓの後側面Ｓｒに設置して、操作レバーＬのロック操作時には、防水板Ｓの前側面Ｓｆに固定した側部防水ゴムＲｓを受け枠１の受け面１ｉｆ（即ち前側の内側面）に圧接させる前後方向押圧力（即ち前方向押圧力）を発生させるように構成してもよい。
【００６７】
また第２実施形態では、ロック装置ＬＯの、防水板Ｓ側の第１支持ブラケットＢ１（従って操作レバーＬ）を防水板Ｓの後側面Ｓｒに設置して、操作レバーＬのロック操作時には、防水板Ｓの後側面Ｓｒに固定の側部防水ゴムＲｓを受け枠１′の前向きの受け面１ｔｆ′に圧接させる前後方向押圧力（即ち後方向押圧力）を発生させるようにした実施例を示した。この第２実施形態の変形例として、第１支持ブラケットＢ１（従って操作レバーＬ）を防水板Ｓの前側面Ｓｆに設置して、操作レバーＬのロック操作時には、防水板Ｓの前側面Ｓｆに固定した側部防水ゴムＲｓを受け枠１′の後向きの受け面１ｔｒ′に圧接させる前後方向押圧力（即ち前方向押圧力）を発生させるように構成してもよい。
【符号の説明】
【００６８】
Ａ・・・・・・水遮断装置
Ｃ１，Ｃ２・・第１，第２カム機構
ｆ１，ｆ２・・第１，第２カム面
Ｅ・・・・・・建物の入口
Ｅｓ・・・・・側壁部
Ｉ・・・・・・連動機構
Ｌ・・・・・・操作レバー
ＬＯ・・・・・ロック装置
Ｄ・・・・・・駆動ピン
Ｐ１〜Ｐ３・・第１〜第３枢軸（ピボット連結部）
Ｓ・・・・・・防水板
Ｓｒ・・・・・後側面（一方の側面）
Ｒｓ・・・・・側部防水ゴム
Ｒｂ・・・・・底部防水ゴム
Ｔ・・・・・・トグル機構
１，１′・・・受け枠（受け部）
１ｉｒ，１ｔｆ′・・・受け面
１Ｌ／２Ｌ／３Ｌ・・アンロック位置／中間回動位置／ロック位置
１Ｄ／２Ｄ／３Ｄ・・後退位置／第１前進位置／第２前進位置
１１・・・・・リンク部材
【図１】
2018178392.tif 000003
【図２】
2018178392.tif 000004
【図３】
2018178392.tif 000005
【図４】
2018178392.tif 000006
【図５】
2018178392.tif 000007
【図６】
2018178392.tif 000008
【図７】
2018178392.tif 000009
【図８】
2018178392.tif 000010
【図９】
2018178392.tif 000011
【図１０】
2018178392.tif 000012